(57)【要約】【課題】受信信号の品質を高めることが可能な制御装置を提供すること。【解決手段】受信装置１の制御装置は、所定の無線周波数を中心とした無線周波数帯域の受信信号を、当該無線周波数と異なる局部発振周波数の信号によって中間周波数帯域の中間信号に変換する混合器１０３による変換後の信号のうちの、中間周波数帯域内の干渉波を検出する干渉波検出部１１１を備える。更に、制御装置は、干渉波が検出された場合、中間周波数帯域と、当該干渉波の帯域と、が遠ざかるように、局部発振周波数を変更する周波数制御部１１２を備える。【選択図】図２
2014183541.tif 000002
【特許請求の範囲】
【請求項１】
所定の無線周波数を中心とした無線周波数帯域の受信信号を、当該無線周波数と異なる局部発振周波数の信号によって中間周波数帯域の中間信号に変換する混合器による変換後の信号のうちの、前記中間周波数帯域内の干渉波を検出する干渉波検出手段と、
前記干渉波が検出された場合、前記中間周波数帯域と、当該干渉波の帯域と、が遠ざかるように、前記局部発振周波数を変更する周波数制御手段と、
を備える制御装置。
【請求項２】
請求項１に記載の制御装置であって、
前記周波数制御手段は、前記混合器による変換後の信号を第１のフィルタが減衰させる帯域以外の帯域であり且つ前記中間周波数帯域の幅よりも大きい帯域幅を有する通過帯域内において、前記中間周波数帯域が前記干渉波の帯域から遠ざかるように、前記局部発振周波数を変更する制御装置。
【請求項３】
請求項２に記載の制御装置であって、
前記通過帯域の幅は、前記中間周波数帯域の幅の２倍に、前記干渉波の帯域の幅を加えた幅を有する制御装置。
【請求項４】
請求項１乃至請求項３のいずれか一項に記載の制御装置であって、
前記干渉波検出手段は、前記干渉波の電力である干渉波電力を取得し、
前記周波数制御手段は、前記干渉波が検出された場合、前記取得された干渉波電力を最小とするように前記局部発振周波数を変更する制御装置。
【請求項５】
請求項１乃至請求項３のいずれか一項に記載の制御装置であって、
前記周波数制御手段は、前記干渉波が検出された場合、前記中間周波数帯域が、前記通過帯域内において当該干渉波の帯域と重複しないように前記局部発振周波数を変更する制御装置。
【請求項６】
請求項１乃至請求項５のいずれか一項に記載の制御装置であって、
前記第１のフィルタを通過した信号を、周波数が、前記中間周波数帯域の中心の周波数と所定の基底周波数との差だけ変化するように、前記局部発振周波数に基づいて変換する周波数変換手段を備える制御装置。
【請求項７】
請求項６に記載の制御装置であって、
前記周波数変換手段による変換後の信号のうちの、前記基底周波数を中心とした基底帯域外の信号を減衰させる第２のフィルタを備える制御装置。
【請求項８】
所定の無線周波数を中心とした無線周波数帯域の受信信号を、当該無線周波数と異なる局部発振周波数の信号によって中間周波数帯域の中間信号に変換する混合器による変換後の信号のうちの、前記中間周波数帯域内の干渉波を検出し、
前記干渉波が検出された場合、前記中間周波数帯域と、当該干渉波の帯域と、が遠ざかるように、前記局部発振周波数を変更する、周波数制御方法。
【請求項９】
請求項８に記載の周波数制御方法であって、
前記変換後の信号のうちの、前記中間周波数帯域の幅よりも大きい帯域幅を有する通過帯域外の信号を減衰させ、
前記中間周波数帯域が、前記通過帯域内において前記干渉波の帯域から遠ざかるように、前記局部発振周波数を変更する、周波数制御方法。
【請求項１０】
請求項９に記載の周波数制御方法であって、
前記通過帯域の幅は、前記中間周波数帯域の幅の２倍に、前記干渉波の帯域の幅を加えた幅を有する、周波数制御方法。
【請求項１１】
所定の無線周波数と異なる局部発振周波数の信号を生成する発振器と、
前記無線周波数を中心とした無線周波数帯域の受信信号を、前記生成された信号によって中間周波数帯域の中間信号に変換する混合器と、
前記混合器による変換後の信号のうちの、前記中間周波数帯域内の干渉波を検出する干渉波検出手段と、
前記干渉波が検出された場合、前記中間周波数帯域と、当該干渉波の帯域と、が遠ざかるように、前記局部発振周波数を変更する周波数制御手段と、
を備える受信装置。
【請求項１２】
請求項１１に記載の受信装置であって、
前記混合器による変換後の信号のうちの、前記中間周波数帯域の幅よりも大きい帯域幅を有する通過帯域外の信号を減衰させる第１のフィルタを備え、
前記周波数制御手段は、前記中間周波数帯域が、前記通過帯域内において前記干渉波の帯域から遠ざかるように、前記局部発振周波数を変更する受信装置。
【請求項１３】
請求項１２に記載の受信装置であって、
前記第１のフィルタは、前記通過帯域の幅が、前記中間周波数帯域の幅の２倍に、前記干渉波の帯域の幅を加えた幅を有する受信装置。
【発明の詳細な説明】
【技術分野】
【０００１】
本発明は、制御装置、周波数制御方法、及び、受信装置に関する。
【背景技術】
【０００２】
アンテナにより受信された、無線周波数を中心とした無線周波数帯域の無線信号を受信する受信装置が知られている。例えば、この種の受信装置の一つは、無線周波数と異なる局部周波数の局部信号を生成する局部発振器と、アンテナにより受信された無線信号を、局部信号によって中間周波数帯域の中間信号に変換する混合器と、を備える。更に、受信装置は、混合器の後段側にて、混合器による変換後の信号のうちの、中間周波数帯域外の信号を減衰させるフィルタを備える。
【０００３】
アンテナが、無線信号の近傍の帯域の妨害波を、無線信号とともに受信する場合がある。この場合、図１の（Ａ）に示したように、混合器は、無線信号を中間信号ＩＳ１に変換するとともに、妨害波を中間周波数帯域の近傍の帯域の中間妨害波ＩＷ１に変換する。ところで、フィルタは、一点鎖線ＦＬ１にて示したように、中間周波数帯域から遠ざかるにつれて透過率が徐々に減少する。ここで、透過率は、フィルタに入力される信号の強度に対する、フィルタから出力される信号の強度の比である。
【０００４】
従って、フィルタは、中間周波数帯域外の、中間周波数帯域の近傍の帯域ＦＷ１の信号を十分に減衰できない。その結果、中間妨害波ＩＷ１は、十分に減衰されることなくフィルタを通過してしまう。
【０００５】
そこで、例えば、受信装置が、中間妨害波の帯域を検出し、図１の（Ｂ）に示したように、中間妨害波ＩＷ１の帯域が、フィルタによって十分に減衰される帯域ＦＷ２となるように、検出された帯域に基づいて局部周波数を変更する技術が知られている（例えば、特許文献１を参照）。これにより、中間妨害波ＩＷ１をフィルタにより十分に減衰させることができる。
また、所定の除去帯域内の信号を減衰させるノッチフィルタが知られている（例えば、特許文献２乃至３を参照）。
【先行技術文献】
【特許文献】
【０００６】
【特許文献１】特開平１１−１８６９２３号公報
【特許文献２】特開平４−３６０４４１号公報
【特許文献３】特開２００４−３３６７１５号公報
【発明の概要】
【発明が解決しようとする課題】
【０００７】
ところで、例えば、混合器に入力される２つの信号間の分離（アイソレーション）が十分でないこと、又は、回路素子の特性等に起因して、アンテナにより受信された中間周波数帯域内の干渉波が、混合器によって周波数が変換されることなく混合器の後段側に到達する場合、又は、混合器の後段側にて中間周波数帯域内の干渉波が受信装置内に混入する場合がある。このような場合、上述の受信装置のように、局部周波数を変更しても、干渉波の帯域を変更することができない。特に、受信装置を軽くするために合成樹脂等の材料からなる筐体が用いられると、干渉波が筐体によってほとんど減衰されないため、この問題はより顕著になる。
【０００８】
そこで、上述のノッチフィルタを用いることにより、干渉波を十分に減衰させることが考えられる。しかしながら、この場合、干渉波とともに中間信号も減衰されるので、受信信号の品質が低下してしまう。このように、上述した受信装置によっては、受信信号の品質が低下してしまう、という問題があった。
【０００９】
そこで、本発明の目的の一つは、上述した課題である、受信信号の品質が低下してしまうこと、を解決することが可能な制御装置を提供することにある。
【００１０】
なお、上記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１１】
かかる目的を達成するため制御装置は、所定の無線周波数を中心とした無線周波数帯域の受信信号を、当該無線周波数と異なる局部発振周波数の信号によって中間周波数帯域の中間信号に変換する混合器による変換後の信号のうちの、前記中間周波数帯域内の干渉波を検出する干渉波検出手段を備える。更に、制御装置は、前記干渉波が検出された場合、前記中間周波数帯域と、当該干渉波の帯域と、が遠ざかるように、前記局部発振周波数を変更する周波数制御手段を備える。
【発明の効果】
【００１２】
開示の制御装置によれば、受信信号の品質を高めることができる。
【図面の簡単な説明】
【００１３】
【図１】（Ａ）は、関連技術に係る、局部周波数が変更されない場合の中間信号及び干渉波を概念的に示した説明図である。（Ｂ）は、関連技術に係る、局部周波数が変更された場合の中間信号及び干渉波を概念的に示した説明図である。
【図２】第１実施形態の一例としての送受信装置の構成を表す図である。
【図３】第１実施形態の一例としての第１のフィルタの第１通過帯域を概念的に示した説明図である。
【図４】第１実施形態の一例としての干渉波検出部の構成を表す図である。
【図５】第１実施形態の一例としての周波数制御部が実行する周波数制御処理を表すフローチャートである。
【図６】（Ａ）は、第１実施形態の一例としての送受信装置における、局部周波数が変更される前の各信号の帯域の関係を概念的に示した説明図である。（Ｂ）は、第１実施形態の一例としての送受信装置における、局部周波数が変更された後の各信号の帯域の関係を概念的に示した説明図である。
【図７】第２実施形態の一例としての送受信装置の構成を表す図である。
【図８】第２実施形態の一例としての周波数制御部が実行する周波数制御処理を表すフローチャートである。
【図９】（Ａ）は、第２実施形態の一例としての送受信装置における、局部周波数が変更される前の各信号の帯域の関係を概念的に示した説明図である。（Ｂ）は、第２実施形態の一例としての送受信装置における、局部周波数が変更された後の各信号の帯域の関係を概念的に示した説明図である。
【図１０】（Ａ）は、第２実施形態の一例としての送受信装置における、局部周波数が変更される前の各信号の帯域の関係を概念的に示した説明図である。（Ｂ）は、第２実施形態の一例としての送受信装置における、局部周波数が変更された後の各信号の帯域の関係を概念的に示した説明図である。
【図１１】第２実施形態の一例としての送受信装置における各信号の帯域の関係を概念的に示した説明図である。
【図１２】第１実施形態及び第２実施形態の変形例の一例としての送受信装置の構成を表す図である。
【発明を実施するための形態】
【００１４】
上述した課題の少なくとも１つに対処するため、以下、本発明に係る、制御装置、周波数制御方法、及び、受信装置の各実施形態について図２乃至図１２を参照しながら説明する。
【００１５】
＜第１実施形態＞
（概要）
第１実施形態に係る送受信装置は、発振器と混合器とを備える。発振器は、所定の無線周波数と異なる局部発振周波数の局部信号を生成する。混合器は、無線周波数を中心とした無線周波数帯域の受信信号を、生成された局部信号によって中間周波数帯域の中間信号に変換する。
【００１６】
更に、送受信装置は、混合器による変換後の信号のうちの、中間周波数帯域内の干渉波を検出する干渉波検出部と、干渉波が検出された場合、中間周波数帯域と、当該干渉波の帯域と、が遠ざかるように、局部発振周波数を変更する周波数制御部と、を備える。
【００１７】
上記構成によれば、中間周波数帯域と、干渉波の帯域と、を遠ざけることができる。これにより、中間周波数帯域内の信号を、干渉波から容易に分離することができる。この結果、受信信号の品質を高めることができる。
【００１８】
以下、第１実施形態に係る送受信装置について詳細に説明する。
（構成）
図２に示したように、第１実施形態に係る送受信装置１は、アンテナ１１と、共用器１２と、送信ユニット１３と、受信ユニット１４と、を備える。送受信装置１は、ベースバンド（ＢＢ；Ｂａｓｅｂａｎｄ）装置２に接続されている。なお、送受信装置１は、受信装置の一例である。
【００１９】
ＢＢ装置２は、ベースバンド信号を生成し、生成されたベースバンド信号を送受信装置１へ出力する。ベースバンド信号は、所定の基底帯域の信号である。更に、ＢＢ装置２は、送受信装置１により出力されたベースバンド信号が入力され、入力されたベースバンド信号に基づいて所定のベースバンド処理を実行する。
【００２０】
アンテナ１１は、無線周波数ＦＲＦを中心とした無線周波数帯域の無線信号を受信する。本例では、無線信号は、図示しない無線端末により送信される。本例では、無線周波数帯域は、基底帯域よりも高い周波数の帯域である。アンテナ１１は、受信された無線信号を共用器１２を介して受信ユニット１４へ出力する。
更に、アンテナ１１は、送信ユニット１３により出力された無線信号が共用器１２を介して入力され、入力された無線信号を送信する。
【００２１】
共用器１２は、Ｄｕｐｌｅｘｅｒとも呼ばれる。共用器１２は、無線信号を送信する機能と、無線信号を受信する機能と、を切り替える。なお、共用器１２は、無線周波数帯域以外の帯域の信号を除去する機能を有していてもよい。
【００２２】
送信ユニット１３は、ＢＢ装置２から入力されたベースバンド信号に基づいて無線信号を生成し、生成された無線信号を共用器１２を介してアンテナ１１へ出力する。
【００２３】
受信ユニット１４は、第１の増幅器１０１と、局部発振器（発振器）１０２と、混合器（Ｍｉｘｅｒ）１０３と、第２の増幅器１０４と、第１のフィルタ１０５と、アナログ・デジタル変換器（ＡＤＣ；Ａｎａｌｏｇ  Ｔｏ  Ｄｉｇｉｔａｌ  Ｃｏｎｖｅｒｔｅｒ）１０６と、デジタル・ダウンコンバータ（ＤＤＣ；Ｄｅｇｉｔａｌ  Ｄｏｗｎ  Ｃｏｎｖｅｒｔｅｒ）１０７と、第２のフィルタ１０８と、デジタル利得制御器（ＤＧＣ；Ｄｉｇｉｔａｌ  Ｇａｉｎ  Ｃｏｎｔｒｏｌｌｅｒ）１０９と、インタフェース（ＩＦ；Ｉｎｔｅｒｆａｃｅ）部１１０と、干渉波検出部（干渉波検出手段）１１１と、周波数制御部（周波数制御手段）１１２と、を備える。なお、干渉波検出部１１１、周波数制御部１１２、ＤＤＣ１０７、及び、第２のフィルタ１０８は、制御装置の一例である。
【００２４】
本例では、ＤＤＣ１０７、第２のフィルタ１０８、ＤＧＣ１０９、干渉波検出部１１１、及び、周波数制御部１１２は、ＦＰＧＡ（Ｆｉｅｌｄ−Ｐｒｏｇｒａｍｍａｂｌｅ  Ｇａｔｅ  Ａｒｒａｙ）により構成されてよい。また、ＤＤＣ１０７、第２のフィルタ１０８、ＤＧＣ１０９、干渉波検出部１１１、及び、周波数制御部１１２は、ＦＰＧＡ以外のプログラム可能な論理回路装置（ＰＬＤ；Ｐｒｏｇｒａｍｍａｂｌｅ  Ｌｏｇｉｃ  Ｄｅｖｉｃｅ）により構成されていてもよい。
【００２５】
また、ＤＤＣ１０７、第２のフィルタ１０８、ＤＧＣ１０９、干渉波検出部１１１、及び、周波数制御部１１２は、プログラム不能な論理回路装置（例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等）により構成されていてもよい。また、送受信装置１は、処理装置と、プログラム（ソフトウェア）を記憶する記憶装置と、を備えるコンピュータを有するとともに、処理装置がそのプログラムを実行することにより、ＤＤＣ１０７、第２のフィルタ１０８、ＤＧＣ１０９、干渉波検出部１１１、及び、周波数制御部１１２の各機能を実現するように構成されていてもよい。
【００２６】
第１の増幅器１０１は、アンテナ１１により受信された無線信号を増幅する。本例では、第１の増幅器１０１は、ＬＮＡ（Ｌｏｗ  Ｎｏｉｓｅ  Ａｍｐｌｉｆｉｅｒ）である。
【００２７】
局部発振器１０２は、無線周波数ＦＲＦと異なる局部周波数（局部発振周波数）ＦＬＯの局部信号を生成する。本例では、局部信号は、連続波の交流信号である。また、本例では、局部周波数ＦＬＯは、無線周波数ＦＲＦよりも低い周波数である。具体的には、局部発振器１０２は、局部周波数ＦＬＯとしての、周波数制御部１１２により出力された第１周波数制御信号が表す周波数の局部信号を生成する。
【００２８】
混合器１０３は、Ｍｉｘｅｒとも呼ばれる。混合器１０３は、第１の増幅器１０１により増幅された無線信号を、局部発振器１０２により生成された局部信号によって中間周波数帯域の中間信号に変換する。本例では、混合器１０３は、ヘテロダイン方式に従った混合器である。また、本例では、中間周波数帯域は、基底帯域よりも高く、且つ、無線周波数帯域よりも低い周波数の帯域である。本例では、混合器１０３は、第１の増幅器１０１による増幅後の信号を、周波数が局部周波数ＦＬＯだけ低くなるように変換する。
第２の増幅器１０４は、混合器１０３による変換後の信号を増幅し、増幅された信号を第１のフィルタ１０５へ出力する。
【００２９】
第１のフィルタ１０５は、第２の増幅器１０４により出力された（即ち、混合器１０３による変換後の）信号のうちの、第１通過帯域外の信号を減衰させるように構成される。第１通過帯域は、中間周波数帯域の幅（中間周波数帯域幅）よりも大きい帯域幅を有する。例えば、第１通過帯域の幅（第１通過帯域幅）ＷＦＰ１は、数式１により表される条件を満足するように設定されることが好適である。
（数１）
ＷＩＳ＋ＷＩＷ≦ＷＦＰ１≦２ＷＩＳ＋ＷＩＷ
【００３０】
ここで、ＷＩＳは、中間周波数帯域幅を表す。また、ＷＩＷは、干渉波の帯域の幅（帯域幅）を表す。
本例では、図３に示したように、第１通過帯域幅ＷＦＰ１は、中間周波数帯域幅の２倍の大きさ（即ち、２ＷＩＳ）に設定される。また、第１通過帯域の下限は、基本中間周波数ＦＩＳ０から、中間周波数帯域幅ＷＩＳの半分の値を減じた値（即ち、ＦＩＳ０−ＷＩＳ／２）に設定される。なお、基本中間周波数ＦＩＳ０は、中間周波数ＦＩＳの基本値である。中間周波数ＦＩＳは、中間周波数帯域の中心の周波数である。
【００３１】
なお、本明細書では、受信ユニット１４において、第１の増幅器１０１からＩＦ部１１０へ向かう方向を後方と呼び、且つ、ＩＦ部１１０から第１の増幅器１０１へ向かう方向を前方と呼ぶ。即ち、第１のフィルタ１０５は、混合器１０３の後段（後方）側に配置されている、と言える。
【００３２】
ＡＤＣ１０６は、第１のフィルタ１０５を通過した信号をアナログ信号からデジタル信号に変換し、変換後の信号をＤＤＣ１０７へ出力する。
【００３３】
ＤＤＣ１０７は、ＡＤＣ１０６により出力された信号（即ち、第１のフィルタ１０５を通過した信号）を、周波数が周波数低減量ΔＦＲＤだけ低くなるように変換する（即ち、ダウンコンバージョンを行なう）。本例では、ＤＤＣ１０７は、数値制御発振器（ＮＣＯ；Ｎｕｍｅｒｉｃａｌ  Ｃｏｎｔｒｏｌｌｅｄ  Ｏｓｃｉｌｌａｔｏｒ）を備える。
【００３４】
周波数低減量ΔＦＲＤは、中間周波数ＦＩＳと基底周波数ＦＢＢとの差（本例では、中間周波数ＦＩＳから基底周波数ＦＢＢを減じた値ＦＩＳ−ＦＢＢ）に設定される。基底周波数ＦＢＢは、基底帯域の中心の周波数である。即ち、ＤＤＣ１０７は、中間周波数帯域の中間信号を基底帯域のベースバンド信号に変換するように、第１のフィルタ１０５を通過した信号を変換する。
【００３５】
具体的には、ＤＤＣ１０７は、周波数制御部１１２により出力された第２周波数制御信号が表す周波数低減量ΔＦＲＤだけ周波数が低くなるように上記信号を変換する。後述するように、周波数低減量ΔＦＲＤは、無線周波数ＦＲＦから局部周波数ＦＬＯを減じた値から、更に、基底周波数ＦＢＢを減じた値ＦＲＦ−ＦＬＯ−ＦＢＢに設定される。ところで、無線周波数ＦＲＦから局部周波数ＦＬＯを減じた値は、中間周波数ＦＩＳと等しい。従って、周波数低減量ΔＦＲＤは、中間周波数ＦＩＳから基底周波数ＦＢＢを減じた値ＦＩＳ−ＦＢＢに設定される、と言える。
ＤＤＣ１０７は、変換後の信号を第２のフィルタ１０８へ出力する。
【００３６】
このように、ＤＤＣ１０７は、第１のフィルタ１０５を通過した信号を、周波数が、中間周波数ＦＩＳと基底周波数ＦＢＢとの差だけ変化するように、局部周波数ＦＬＯに基づいて変換する、と言える。
なお、本例では、ＤＤＣ１０７は、周波数変換手段の一例である。
【００３７】
第２のフィルタ１０８は、ＤＤＣ１０７により出力された（即ち、ＤＤＣ１０７による変換後の）信号のうちの、第２通過帯域外の信号を減衰させるように構成される。第２通過帯域は、基底帯域と略一致する。即ち、第２通過帯域は、基底帯域の幅（基底帯域幅）と略等しい帯域幅を有する。更に、第２通過帯域の中心の周波数は、基底周波数ＦＢＢと略一致する。なお、第２のフィルタ１０８は、ＤＤＣ１０７の後段（後方）側に配置されている、と言える。
【００３８】
ＤＧＣ１０９は、第２のフィルタ１０８を通過した信号の強度を、予め設定された強度範囲内の大きさとするように調整し、調整後の信号をＩＦ部１１０へ出力する。
【００３９】
ＩＦ部１１０は、ＤＧＣ１０９により出力された信号を、所定の形式（本例では、ＣＰＲＩ（Ｃｏｍｍｏｎ  Ｐａｃｋｅｔ  Ｒａｄｉｏ  Ｉｎｔｅｒｆａｃｅ）フォーマット）を有するように変換し、変換後の信号（ベースバンド信号）をＢＢ装置２へ出力する。
【００４０】
干渉波検出部１１１は、第２のフィルタ１０８を通過した（即ち、混合器１０３による変換後の）信号のうちの、中間周波数帯域内の干渉波を検出する。具体的には、干渉波検出部１１１は、図４に示したように、窓関数処理部２０１と、ＦＦＴ処理部２０２と、電力算出部２０３と、平均電力算出部２０４と、閾値電力算出２０５と、干渉波特定部２０６と、を備える。
【００４１】
窓関数処理部２０１は、第２のフィルタ１０８を通過した信号に対して、所定の信号ブロック毎に窓関数を乗算する処理を実行する。各信号ブロックは、上記信号を所定の時間間隔（時間フレーム）毎に分割することにより生成される。
ＦＦＴ処理部２０２は、窓関数処理部２０１による処理後の信号を信号ブロック毎にフーリエ変換（本例では、ＦＦＴ；Ｆａｓｔ  Ｆｏｕｒｉｅｒ  Ｔｒａｎｓｆｏｒｍ）する。
【００４２】
電力算出部２０３は、ＦＦＴ処理部２０２によるフーリエ変換後の、実数部のデータ及び虚数部のデータ（ＩＱデータ）に基づいて、各信号ブロックに対して、周波数毎の電力を算出する。
平均電力算出部２０４は、複数（本例では、１６個）の信号ブロックのそれぞれに対して電力算出部２０３により算出された周波数毎の電力を、周波数毎に平均した電力平均値を算出する。
【００４３】
閾値電力算出２０５は、平均電力算出部２０４により算出された周波数毎の電力平均値から、値が大きい方から所定の除外数（本例では、６４個）だけ除外した電力平均値を平均した基準値を算出する。更に、閾値電力算出２０５は、算出された基準値に、所定の余裕値を加算した値を干渉波閾値電力として算出する。
【００４４】
干渉波特定部２０６は、平均電力算出部２０４により算出された周波数毎の電力平均値の少なくとも１つが、閾値電力算出２０５により算出された閾値電力よりも大きいか否かを判定する。本例では、周波数毎の電力平均値の少なくとも１つが閾値電力よりも大きいことは、上記信号のうちの中間周波数帯域内の干渉波が検出されることの一例である。
【００４５】
干渉波特定部２０６は、上記信号のうちの、中間周波数帯域内の干渉波を検出した場合、上記算出された周波数毎の電力平均値のうちの、閾値電力よりも大きい電力平均値（干渉波電力）と、当該電力平均値に対応する周波数（干渉波周波数）と、を表す干渉波情報を周波数制御部１１２へ出力する。本例では、干渉波特定部２０６は、上記信号のうちの、中間周波数帯域内の干渉波を検出しなかった場合、干渉波情報を出力しない。なお、干渉波特定部２０６は、上記信号のうちの、中間周波数帯域内の干渉波を検出しなかった場合、空の情報、又は、干渉波が検出されなかった旨を表す情報を干渉波情報として周波数制御部１１２へ出力してもよい。
【００４６】
周波数制御部１１２は、干渉波検出部１１１により上記干渉波が検出された場合、中間周波数帯域と、当該干渉波の帯域と、が遠ざかるように、局部周波数ＦＬＯを変更する。具体的には、周波数制御部１１２は、中間周波数帯域が、干渉波の帯域外に配置されるように、局部周波数ＦＬＯを変更する。
更に、本例では、周波数制御部１１２は、中間周波数帯域が、第１通過帯域内において干渉波の帯域から遠ざかるように、局部周波数ＦＬＯを変更する。
【００４７】
具体的には、周波数制御部１１２は、干渉波検出部１１１により出力された干渉波情報に基づいて、下限値Ｆｔｈから、基本局部周波数ＦＬＯ０までの範囲において局部周波数ＦＬＯを選択する。本例では、基本局部周波数ＦＬＯ０は、無線周波数ＦＲＦから基本中間周波数ＦＩＳ０を減じた値ＦＲＦ−ＦＩＳ０である。
【００４８】
下限値Ｆｔｈは、混合器１０３による変換後の中間信号の周波数帯域（即ち、中間周波数帯域）が、第１のフィルタ１０５の第１通過帯域に含まれるように設定されることが好適である。本例では、下限値Ｆｔｈは、混合器１０３による変換後の中間信号の中間周波数が、上限周波数ＦＩＳ１となる局部周波数である。ここで、上限周波数ＦＩＳ１は、図３に示したように、基本中間周波数ＦＩＳ０に中間周波数帯域幅ＷＩＳを加えた値ＦＩＳ０＋ＷＩＳである。即ち、下限値Ｆｔｈは、基本局部周波数ＦＬＯ０から中間周波数帯域幅ＷＩＳを減じた値ＦＬＯ０−ＷＩＳである。
【００４９】
周波数制御部１１２は、干渉波代表電力を所定の許容電力よりも小さくする局部周波数が存在する場合、その局部周波数を選択する。干渉波代表電力は、干渉波の電力の代表値である。本例では、干渉波代表電力は、干渉波電力の最大値である。なお、干渉波代表電力は、干渉波電力の平均値等であってもよい。
一方、周波数制御部１１２は、干渉波代表電力を許容電力よりも小さくする局部周波数が存在しない場合、干渉波代表電力を最小にする局部周波数を選択する。
【００５０】
周波数制御部１１２は、選択された局部周波数ＦＬＯを表す第１周波数制御信号を局部発振器１０２へ出力する。
更に、周波数制御部１１２は、無線周波数ＦＲＦから、選択された局部周波数ＦＬＯを減じた値から、更に、基底周波数ＦＢＢを減じた値ＦＲＦ−ＦＬＯ−ＦＢＢを周波数低減量ΔＦＲＤとして算出する。加えて、周波数制御部１１２は、算出された周波数低減量ΔＦＲＤを表す第２周波数制御信号をＤＤＣ１０７へ出力する。
【００５１】
（作動）
次に、上述した送受信装置１の作動について、図５及び図６を参照しながら説明する。
周波数制御部１１２は、図５に示した周波数制御処理を所定のタイミングにて実行する。本例では、周波数制御部１１２は、送受信装置１の起動時に周波数制御処理を実行する。なお、周波数制御部１１２は、所定の実行周期が経過する毎に、又は、干渉波代表電力が所定の実行閾値よりも大きい場合に、周波数制御処理を実行してもよい。
【００５２】
周波数制御部１１２は、周波数制御処理の実行を開始すると、先ず、局部周波数ＦＬＯとして、基本局部周波数ＦＬＯ０を設定（選択）する（図５のステップＳ１０１）。次いで、周波数制御部１１２は、選択された局部周波数ＦＬＯを表す第１周波数制御信号を局部発振器１０２へ出力するとともに、周波数低減量ΔＦＲＤ（＝ＦＲＦ−ＦＬＯ０−ＦＢＢ）を表す第２周波数制御信号をＤＤＣ１０７へ出力する（図５のステップＳ１０２）。
【００５３】
これにより、局部発振器１０２は、第１周波数制御信号が表す局部周波数ＦＬＯ（＝ＦＬＯ０）の局部信号を生成する。更に、ＤＤＣ１０７は、第２周波数制御信号が表す周波数低減量ΔＦＲＤ（＝ＦＲＦ−ＦＬＯ０−ＦＢＢ）だけ周波数が低くなるように信号を変換する。
【００５４】
その後、混合器１０３は、局部発振器１０２により生成された局部信号によって、アンテナ１１により受信された無線信号を中間信号に変換する。即ち、図６の（Ａ）に示したように、混合器１０３は、第１の増幅器１０１による増幅後の信号ＳＲＦを、周波数が局部周波数ＦＬＯ（＝ＦＬＯ０）だけ低くなるように変換する。これにより、無線周波数帯域の信号ＳＲＦは、中間周波数ＦＩＳ（＝ＦＲＦ−ＦＬＯ０）を中心とした中間周波数帯域の中間信号ＳＩＳに変換される。
【００５５】
そして、ＤＤＣ１０７は、第２周波数制御信号が表す周波数低減量ΔＦＲＤ（＝ＦＲＦ−ＦＬＯ０−ＦＢＢ）だけ周波数が低くなるように信号を変換する。これにより、中間周波数帯域の中間信号ＳＩＳは、基底周波数ＦＢＢを中心とした基底帯域のベースバンド信号ＳＢＢに変換される。
【００５６】
また、干渉波検出部１１１は、混合器１０３による変換後の信号のうちの、中間周波数帯域内の干渉波を検出する。
【００５７】
周波数制御部１１２は、干渉波検出部１１１により干渉波情報が出力された場合、干渉波情報に基づいて干渉波代表電力を取得する。一方、周波数制御部１１２は、干渉波検出部１１１により干渉波情報が出力されなかった場合、干渉波代表電力として「０」を取得する（図５のステップＳ１０３）。
本例では、図６の（Ａ）に示したように、混合器１０３による変換後の信号のうちの、中間周波数帯域内の干渉波ＳＩＷが検出された場合を想定する。
【００５８】
周波数制御部１１２は、取得された干渉波代表電力と、現時点の局部周波数ＦＬＯと、を対応付けて記憶する（図５のステップＳ１０４）。次いで、周波数制御部１１２は、取得された干渉波代表電力が許容電力よりも大きいか否かを判定する（図５のステップＳ１０５）。
【００５９】
ここでは、干渉波代表電力が許容電力よりも大きい場合を想定する。この場合、周波数制御部１１２は、「Ｙｅｓ」と判定して、現時点の局部周波数ＦＬＯに、所定の周波数変化量αを減算した値により、局部周波数ＦＬＯを更新する（図５のステップＳ１０６）。本例では、周波数変化量αは、正の値を有する。
【００６０】
そして、周波数制御部１１２は、更新後の局部周波数ＦＬＯ（＝ＦＬＯ０−α）を表す第１周波数制御信号を局部発振器１０２へ出力するとともに、周波数低減量ΔＦＲＤ（＝ＦＲＦ−ＦＬＯ０＋α−ＦＢＢ）を表す第２周波数制御信号をＤＤＣ１０７へ出力する（図５のステップＳ１０７）。
【００６１】
これにより、局部発振器１０２は、第１周波数制御信号が表す局部周波数ＦＬＯ（＝ＦＬＯ０−α）の局部信号を生成する。更に、ＤＤＣ１０７は、第２周波数制御信号が表す周波数低減量ΔＦＲＤ（＝ＦＲＦ−ＦＬＯ０＋α−ＦＢＢ）だけ周波数が低くなるように信号を変換する。
【００６２】
その後、混合器１０３は、局部発振器１０２により生成された局部信号によって、アンテナ１１により受信された無線信号を中間信号に変換する。即ち、図６の（Ｂ）に示したように、混合器１０３は、第１の増幅器１０１による増幅後の信号ＳＲＦを、周波数が局部周波数ＦＬＯ（＝ＦＬＯ０−α）だけ低くなるように変換する。これにより、無線周波数帯域の信号ＳＲＦは、中間周波数ＦＩＳ（＝ＦＲＦ−ＦＬＯ０＋α）を中心とした中間周波数帯域の中間信号ＳＩＳに変換される。
【００６３】
このようにして、周波数制御部１１２は、図６に示したように、中間信号ＳＩＳの中間周波数帯域が、第１通過帯域ＰＢ１内において干渉波ＳＩＷの帯域から遠ざかるように、局部周波数ＦＬＯを変更する、と言うことができる。即ち、中間信号ＳＩＳの中間周波数帯域と干渉波ＳＩＷの帯域とが重複している状態が、中間周波数帯域と干渉波ＳＩＷの帯域とが重複していない状態へ変化することは、中間周波数帯域と干渉波ＳＩＷの帯域とが遠ざかることの一例である。
【００６４】
そして、ＤＤＣ１０７は、第２周波数制御信号が表す周波数低減量ΔＦＲＤ（＝ＦＲＦ−ＦＬＯ０＋α−ＦＢＢ）だけ周波数が低くなるように信号を変換する。これにより、中間周波数帯域の中間信号ＳＩＳは、基底周波数ＦＢＢを中心とした基底帯域のベースバンド信号ＳＢＢに変換される。
【００６５】
その後、周波数制御部１１２は、現時点の局部周波数ＦＬＯが下限値Ｆｔｈよりも小さいか否かを判定する（図５のステップＳ１０８）。ここでは、局部周波数ＦＬＯが下限値Ｆｔｈ以上である場合を想定する。この場合、周波数制御部１１２は、「Ｎｏ」と判定してステップＳ１０３へ戻り、ステップＳ１０３〜Ｓ１０８の処理を繰り返し実行する。
【００６６】
このようにして、局部周波数ＦＬＯが下限値Ｆｔｈよりも小さくなる前に、干渉波代表電力が許容電力以下となった場合を想定する。この場合、周波数制御部１１２が図５のステップＳ１０５に進んだとき、周波数制御部１１２は、「Ｎｏ」と判定して図５の周波数制御処理を終了する。
【００６７】
次に、干渉波代表電力が許容電力以下となる前に、局部周波数ＦＬＯが下限値Ｆｔｈより小さくなった場合を想定する。この場合、周波数制御部１１２は、図５のステップＳ１０８に進んだとき、「Ｙｅｓ」と判定して、ステップＳ１０４にて記憶された局部周波数の中から、干渉波最小周波数ＦＬＯｍｉｎを取得する（図５のステップＳ１０９）。干渉波最小周波数ＦＬＯｍｉｎは、最小の干渉波代表電力と対応付けて記憶されている局部周波数である。
【００６８】
そして、周波数制御部１１２は、局部周波数ＦＬＯとして、取得された干渉波最小周波数ＦＬＯｍｉｎを設定（選択）する（図５のステップＳ１１０）。次いで、周波数制御部１１２は、選択された局部周波数ＦＬＯ（＝ＦＬＯｍｉｎ）を表す第１周波数制御信号を局部発振器１０２へ出力するとともに、周波数低減量ΔＦＲＤ（＝ＦＲＦ−ＦＬＯｍｉｎ−ＦＢＢ）を表す第２周波数制御信号をＤＤＣ１０７へ出力する（図５のステップＳ１１１）。
【００６９】
これにより、局部発振器１０２は、第１周波数制御信号が表す局部周波数ＦＬＯ（＝ＦＬＯｍｉｎ）の局部信号を生成する。更に、ＤＤＣ１０７は、第２周波数制御信号が表す周波数低減量ΔＦＲＤ（＝ＦＲＦ−ＦＬＯｍｉｎ−ＦＢＢ）だけ周波数が低くなるように信号を変換する。
その後、周波数制御部１１２は、図５の周波数制御処理を終了する。
【００７０】
以上、説明したように、第１実施形態に係る送受信装置１は、混合器１０３による変換後の信号のうちの、中間周波数帯域内の干渉波を検出する干渉波検出部１１１を備える。更に、送受信装置１は、干渉波が検出された場合、中間周波数帯域と、当該干渉波の帯域と、が遠ざかるように、局部周波数を変更する周波数制御部１１２を備える。
【００７１】
これによれば、中間周波数帯域と、干渉波の帯域と、を遠ざけることができる。これにより、中間周波数帯域内の信号を、干渉波から容易に分離することができる。この結果、受信信号の品質を高めることができる。
【００７２】
更に、第１実施形態に係る送受信装置１は、混合器１０３による変換後の信号のうちの、中間周波数帯域の幅よりも大きい帯域幅を有する第１通過帯域外の信号を減衰させるように構成された第１のフィルタ１０５を備える。更に、周波数制御部１１２は、中間周波数帯域が、第１通過帯域内において干渉波の帯域から遠ざかるように、局部周波数を変更するように構成される。
【００７３】
これによれば、第１のフィルタ１０５によって減衰されない範囲において、中間周波数帯域を干渉波の帯域から遠ざけることができる。この結果、受信信号の品質をより一層確実に高めることができる。
【００７４】
加えて、第１実施形態に係る送受信装置１は、第１のフィルタ１０５を通過した信号を、周波数が、中間周波数と基底周波数との差だけ変化するように、局部周波数に基づいて変換するＤＤＣ１０７を備える。
【００７５】
これによれば、局部周波数が変更されることにより中間周波数帯域が変更された場合であっても、中間信号を一定の基底周波数を中心とした基底帯域のベースバンド信号に変換することができる。
【００７６】
更に、第１実施形態に係る送受信装置１は、ＤＤＣ１０７による変換後の信号のうちの、基底帯域外の信号を減衰させるように構成された第２のフィルタ１０８を備える。
これによれば、干渉波に基づく信号を減衰させることができる。この結果、受信信号の品質をより一層確実に高めることができる。
【００７７】
加えて、第１実施形態に係る送受信装置１において、干渉波検出部１１１は、干渉波の電力である干渉波電力を取得するように構成される。更に、周波数制御部１１２は、干渉波が検出された場合、取得された干渉波電力を最小とするように、局部周波数ＦＬＯを変更する。
【００７８】
これによれば、干渉波の電力を低減することができる。この結果、受信信号の品質をより一層確実に高めることができる。
【００７９】
なお、第１実施形態に係る送受信装置１は、局部周波数ＦＬＯを周波数変化量αずつ変化させるように構成されていたが、互いに異なる複数の候補値を予め記憶しておき、局部周波数ＦＬＯを各候補値に、順次、変更するように構成されていてもよい。
【００８０】
＜第２実施形態＞
次に、本発明の第２実施形態に係る送受信装置について説明する。第２実施形態に係る送受信装置は、上記第１実施形態に係る送受信装置に対して、干渉波の帯域に基づいて、中間周波数帯域が干渉波の帯域と重複しないように、局部周波数を決定する点において相違している。以下、かかる相違点を中心として説明する。なお、第２実施形態の説明において、上記第１実施形態にて使用した符号と同じ符号を付したものは、同一又は略同様のものである。
【００８１】
（構成）
図７に示したように、第２実施形態に係る送受信装置１Ａは、受信ユニット１４に代えて、受信ユニット１４Ａを備える。第２実施形態に係る受信ユニット１４Ａは、周波数制御部１１２に代えて、周波数制御部１１２Ａを備える点を除いて、受信ユニット１４と同様の構成を有する。
【００８２】
なお、本例では、第１のフィルタ１０５の第１通過帯域の幅（第１通過帯域幅）ＷＦＰ１は、中間周波数帯域幅ＷＩＳを２倍した値２ＷＩＳに、干渉波の帯域幅ＷＩＷを加算した値２ＷＩＳ＋ＷＩＷに設定される。また、第１通過帯域の中心は、基本中間周波数ＦＩＳ０に設定される。
【００８３】
周波数制御部１１２Ａは、干渉波検出部１１１により上記干渉波が検出された場合、中間周波数帯域と、当該干渉波の帯域と、が遠ざかるように、局部周波数ＦＬＯを変更する。本例では、周波数制御部１１２Ａは、中間周波数帯域が、第１通過帯域内において干渉波の帯域から遠ざかるように、局部周波数ＦＬＯを変更する。
【００８４】
具体的には、周波数制御部１１２Ａは、干渉波検出部１１１により出力された干渉波情報に基づいて、３つの局部周波数の候補値（第１局部周波数候補ＦＬＯ０、第２局部周波数候補ＦＬＯ１、及び、第３局部周波数候補ＦＬＯ２）から局部周波数ＦＬＯを選択する。本例では、第１局部周波数候補ＦＬＯ０は、基本局部周波数ＦＬＯ０である。
【００８５】
第２局部周波数候補ＦＬＯ１は、混合器１０３による変換後の中間信号の周波数帯域（即ち、中間周波数帯域）の上限値が、第１のフィルタ１０５の第１通過帯域の上限値と一致するように設定されることが好適である。また、第３局部周波数候補ＦＬＯ２は、混合器１０３による変換後の中間信号の周波数帯域（即ち、中間周波数帯域）の下限値が、第１のフィルタ１０５の第１通過帯域の下限値と一致するように設定されることが好適である。
本例では、第２局部周波数候補ＦＬＯ１、及び、第３局部周波数候補ＦＬＯ２は、数式２及び数式３により表される。
（数２）
ＦＬＯ１＝ＦＬＯ０−（ＷＩＳ＋ＷＩＷ）／２
（数３）
ＦＬＯ２＝ＦＬＯ０＋（ＷＩＳ＋ＷＩＷ）／２
【００８６】
なお、本例では、周波数制御部１１２Ａは、３つの局部周波数の候補値から局部周波数ＦＬＯを選択していたが、第２局部周波数候補ＦＬＯ１及び第３局部周波数候補ＦＬＯ２の２つの局部周波数の候補値から局部周波数ＦＬＯを選択してもよい。
【００８７】
周波数制御部１１２は、干渉波代表電力が所定の許容電力以下である場合、第１局部周波数候補ＦＬＯ０を局部周波数ＦＬＯとして選択する。
また、周波数制御部１１２は、干渉波代表電力が所定の許容電力よりも大きい場合において、干渉波代表周波数が基本中間周波数ＦＩＳ０よりも小さいとき、第２局部周波数候補ＦＬＯ１を局部周波数ＦＬＯとして選択する。
また、周波数制御部１１２は、干渉波代表電力が所定の許容電力よりも大きい場合において、干渉波代表周波数が基本中間周波数ＦＩＳ０以上であるとき、第３局部周波数候補ＦＬＯ２を局部周波数ＦＬＯとして選択する。
【００８８】
本例では、干渉波代表電力は、干渉波電力の最大値である。なお、干渉波代表電力は、干渉波電力の平均値等であってもよい。また、干渉波代表周波数は、干渉波の周波数の代表値である。本例では、干渉波代表周波数は、干渉波周波数の平均値である。なお、干渉波代表周波数は、干渉波周波数を干渉波電力によって重み付けして平均した値であってもよい。また、干渉波代表周波数は、最大の干渉波電力に対応する周波数であってもよい。
【００８９】
周波数制御部１１２Ａは、選択された局部周波数ＦＬＯを表す第１周波数制御信号を局部発振器１０２へ出力する。
更に、周波数制御部１１２Ａは、無線周波数ＦＲＦから、選択された局部周波数ＦＬＯを減じた値から、更に、基底周波数ＦＢＢを減じた値ＦＲＦ−ＦＬＯ−ＦＢＢを周波数低減量ΔＦＲＤとして算出する。加えて、周波数制御部１１２Ａは、算出された周波数低減量ΔＦＲＤを表す第２周波数制御信号をＤＤＣ１０７へ出力する。
【００９０】
（作動）
次に、上述した送受信装置１Ａの作動について、図８乃至図１１を参照しながら説明する。
周波数制御部１１２Ａは、図５に示した周波数制御処理に代えて、図８に示した周波数制御処理を所定のタイミングにて実行する。本例では、周波数制御部１１２Ａは、送受信装置１Ａの起動時に周波数制御処理を実行する。なお、周波数制御部１１２Ａは、所定の実行周期が経過する毎に、又は、干渉波代表電力が所定の実行閾値よりも大きい場合に、周波数制御処理を実行してもよい。
【００９１】
周波数制御部１１２Ａは、周波数制御処理の実行を開始すると、先ず、局部周波数ＦＬＯとして、基本局部周波数ＦＬＯ０を設定（選択）する（図８のステップＳ２０１）。次いで、周波数制御部１１２Ａは、選択された局部周波数ＦＬＯを表す第１周波数制御信号を局部発振器１０２へ出力するとともに、周波数低減量ΔＦＲＤ（＝ＦＲＦ−ＦＬＯ０−ＦＢＢ）を表す第２周波数制御信号をＤＤＣ１０７へ出力する（図８のステップＳ２０２）。
【００９２】
これにより、局部発振器１０２は、第１周波数制御信号が表す局部周波数ＦＬＯ（＝ＦＬＯ０）の局部信号を生成する。更に、ＤＤＣ１０７は、第２周波数制御信号が表す周波数低減量ΔＦＲＤ（＝ＦＲＦ−ＦＬＯ０−ＦＢＢ）だけ周波数が低くなるように信号を変換する。
【００９３】
その後、混合器１０３は、局部発振器１０２により生成された局部信号によって、アンテナ１１により受信された無線信号を中間信号に変換する。即ち、図９の（Ａ）に示したように、混合器１０３は、第１の増幅器１０１による増幅後の信号ＳＲＦを、周波数が局部周波数ＦＬＯ（＝ＦＬＯ０）だけ低くなるように変換する。これにより、無線周波数帯域の信号ＳＲＦは、中間周波数ＦＩＳ（＝ＦＲＦ−ＦＬＯ０）を中心とした中間周波数帯域の中間信号ＳＩＳに変換される。
【００９４】
そして、ＤＤＣ１０７は、第２周波数制御信号が表す周波数低減量ΔＦＲＤ（＝ＦＲＦ−ＦＬＯ０−ＦＢＢ）だけ周波数が低くなるように信号を変換する。これにより、中間周波数帯域の中間信号ＳＩＳは、基底周波数ＦＢＢを中心とした基底帯域のベースバンド信号ＳＢＢに変換される。
【００９５】
また、干渉波検出部１１１は、混合器１０３による変換後の信号のうちの、中間周波数帯域内の干渉波を検出する。
【００９６】
周波数制御部１１２Ａは、干渉波検出部１１１により干渉波情報が出力された場合、干渉波情報に基づいて干渉波代表電力を取得する。一方、周波数制御部１１２Ａは、干渉波検出部１１１により干渉波情報が出力されなかった場合、干渉波代表電力として「０」を取得する（図８のステップＳ２０３）。
本例では、図９の（Ａ）に示したように、混合器１０３による変換後の信号のうちの、中間周波数帯域内の、基本中間周波数ＦＩＳ０よりも低い帯域の干渉波ＳＩＷが検出された場合を想定する。
【００９７】
更に、周波数制御部１１２Ａは、干渉波検出部１１１により干渉波情報が出力された場合、干渉波情報に基づいて干渉波代表周波数ＦＩＷを取得する。一方、周波数制御部１１２Ａは、干渉波検出部１１１により干渉波情報が出力されなかった場合、干渉波代表周波数ＦＩＷとして「０」を取得する（図８のステップＳ２０４）。
【００９８】
周波数制御部１１２Ａは、取得された干渉波代表電力が許容電力よりも大きいか否かを判定する（図８のステップＳ２０５）。
ここでは、干渉波代表電力が許容電力よりも大きい場合を想定する。この場合、周波数制御部１１２Ａは、「Ｙｅｓ」と判定して、取得された干渉波代表周波数ＦＩＷが基本中間周波数ＦＩＳ０よりも小さいか否かを判定する（図８のステップＳ２０６）。
【００９９】
上記仮定に従えば、干渉波代表周波数ＦＩＷが基本中間周波数ＦＩＳ０よりも小さいので、周波数制御部１１２Ａは、「Ｙｅｓ」と判定して、第２局部周波数候補ＦＬＯ１（＝ＦＬＯ０−（ＷＩＳ＋ＷＩＷ）／２）を局部周波数ＦＬＯとして選択する（図８のステップＳ２０７）。
【０１００】
そして、周波数制御部１１２Ａは、選択された局部周波数ＦＬＯ（＝ＦＬＯ１）を表す第１周波数制御信号を局部発振器１０２へ出力するとともに、周波数低減量ΔＦＲＤ（＝ＦＲＦ−ＦＬＯ１−ＦＢＢ）を表す第２周波数制御信号をＤＤＣ１０７へ出力する（図８のステップＳ２０９）。
【０１０１】
これにより、局部発振器１０２は、第１周波数制御信号が表す局部周波数ＦＬＯ（＝ＦＬＯ１）の局部信号を生成する。更に、ＤＤＣ１０７は、第２周波数制御信号が表す周波数低減量ΔＦＲＤ（＝ＦＲＦ−ＦＬＯ１−ＦＢＢ）だけ周波数が低くなるように信号を変換する。
【０１０２】
その後、混合器１０３は、局部発振器１０２により生成された局部信号によって、アンテナ１１により受信された無線信号を中間信号に変換する。即ち、図９の（Ｂ）に示したように、混合器１０３は、第１の増幅器１０１による増幅後の信号ＳＲＦを、周波数が局部周波数ＦＬＯ（＝ＦＬＯ１）だけ低くなるように変換する。これにより、無線周波数帯域の信号ＳＲＦは、中間周波数ＦＩＳ（＝ＦＲＦ−ＦＬＯ１）を中心とした中間周波数帯域の中間信号ＳＩＳに変換される。
【０１０３】
このようにして、周波数制御部１１２Ａは、図９に示したように、中間信号ＳＩＳの中間周波数帯域が、第１通過帯域ＰＢ１内において干渉波ＳＩＷの帯域と重複しないように、局部周波数ＦＬＯを変更する、と言うことができる。
【０１０４】
そして、ＤＤＣ１０７は、第２周波数制御信号が表す周波数低減量ΔＦＲＤ（＝ＦＲＦ−ＦＬＯ１−ＦＢＢ）だけ周波数が低くなるように信号を変換する。これにより、中間周波数帯域の中間信号ＳＩＳは、基底周波数ＦＢＢを中心とした基底帯域のベースバンド信号ＳＢＢに変換される。
その後、周波数制御部１１２Ａは、図８の周波数制御処理を終了する。
【０１０５】
次に、図１０の（Ａ）に示したように、混合器１０３による変換後の信号のうちの、中間周波数帯域内の、基本中間周波数ＦＩＳ０よりも高い帯域の干渉波ＳＩＷが検出された場合を想定する。
【０１０６】
この場合、周波数制御部１１２Ａが図８のステップＳ２０６へ進んだとき、周波数制御部１１２Ａは、「Ｎｏ」と判定して、第３局部周波数候補ＦＬＯ２（＝ＦＬＯ０＋（ＷＩＳ＋ＷＩＷ）／２）を局部周波数ＦＬＯとして選択する（図８のステップＳ２０８）。
【０１０７】
そして、周波数制御部１１２Ａは、選択された局部周波数ＦＬＯ（＝ＦＬＯ２）を表す第１周波数制御信号を局部発振器１０２へ出力するとともに、周波数低減量ΔＦＲＤ（＝ＦＲＦ−ＦＬＯ２−ＦＢＢ）を表す第２周波数制御信号をＤＤＣ１０７へ出力する（図８のステップＳ２０９）。
【０１０８】
これにより、局部発振器１０２は、第１周波数制御信号が表す局部周波数ＦＬＯ（＝ＦＬＯ２）の局部信号を生成する。更に、ＤＤＣ１０７は、第２周波数制御信号が表す周波数低減量ΔＦＲＤ（＝ＦＲＦ−ＦＬＯ２−ＦＢＢ）だけ周波数が低くなるように信号を変換する。
【０１０９】
その後、混合器１０３は、局部発振器１０２により生成された局部信号によって、アンテナ１１により受信された無線信号を中間信号に変換する。即ち、図１０の（Ｂ）に示したように、混合器１０３は、第１の増幅器１０１による増幅後の信号ＳＲＦを、周波数が局部周波数ＦＬＯ（＝ＦＬＯ２）だけ低くなるように変換する。これにより、無線周波数帯域の信号ＳＲＦは、中間周波数ＦＩＳ（＝ＦＲＦ−ＦＬＯ２）を中心とした中間周波数帯域の中間信号ＳＩＳに変換される。
【０１１０】
このようにして、周波数制御部１１２Ａは、図１０に示したように、中間信号ＳＩＳの中間周波数帯域が、第１通過帯域ＰＢ１内において干渉波ＳＩＷの帯域と重複しないように、局部周波数ＦＬＯを変更する、と言うことができる。
【０１１１】
そして、ＤＤＣ１０７は、第２周波数制御信号が表す周波数低減量ΔＦＲＤ（＝ＦＲＦ−ＦＬＯ２−ＦＢＢ）だけ周波数が低くなるように信号を変換する。これにより、中間周波数帯域の中間信号ＳＩＳは、基底周波数ＦＢＢを中心とした基底帯域のベースバンド信号ＳＢＢに変換される。
その後、周波数制御部１１２Ａは、図８の周波数制御処理を終了する。
【０１１２】
次に、図１１に示したように、混合器１０３による変換後の信号のうちの、中間周波数帯域外に干渉波ＳＩＷが存在する場合を想定する。
この場合、周波数制御部１１２Ａは、図８のステップＳ２０５に進んだとき、「Ｎｏ」と判定して、ステップＳ２０１にて選択された局部周波数ＦＬＯ（＝ＦＬＯ０）を表す第１周波数制御信号を局部発振器１０２へ出力するとともに、周波数低減量ΔＦＲＤ（＝ＦＲＦ−ＦＬＯ０−ＦＢＢ）を表す第２周波数制御信号をＤＤＣ１０７へ出力する（図８のステップＳ２０９）。即ち、この場合、局部周波数ＦＬＯは、変更されることなく維持される。
その後、周波数制御部１１２Ａは、図８の周波数制御処理を終了する。
【０１１３】
以上、説明したように、第２実施形態に係る送受信装置１Ａは、第１実施形態に係る送受信装置１と同様の作用及び効果を奏することができる。
更に、第２実施形態に係る送受信装置１Ａにおいて、第１のフィルタ１０５は、第１通過帯域の幅が、中間周波数帯域の幅ＷＩＳの２倍に、干渉波の帯域ＷＩＷの幅を加えた幅を有するように構成される。
【０１１４】
これによれば、第１のフィルタ１０５によって減衰されない範囲において、中間周波数帯域を干渉波の帯域以外の帯域に確実に配置することができる。この結果、受信信号の品質をより一層確実に高めることができる。
【０１１５】
加えて、第２実施形態に係る送受信装置１Ａにおいて、周波数制御部１１２Ａは、干渉波が検出された場合、中間周波数帯域が、第１通過帯域内において当該干渉波の帯域と重複しないように、局部周波数ＦＬＯを変更する。
【０１１６】
これによれば、第１のフィルタ１０５によって減衰されない範囲において、中間周波数帯域が干渉波の帯域と重複することを回避することができる。この結果、受信信号の品質をより一層確実に高めることができる。
【０１１７】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１１８】
各実施形態において、送受信装置は、送信ユニットを備えない受信装置であってもよい。また、各実施形態において、送受信装置は、無線信号を送信するための第１アンテナと、無線信号を受信するための第２アンテナと、を備えていてもよい。
また、各実施形態に係る受信ユニットは、受信装置としての無線基地局又は無線端末（例えば、無線移動局）等に搭載されていてもよい。
【０１１９】
また、各実施形態において、干渉波検出部１１１は、第２のフィルタ１０８を通過した信号に対して干渉波を検出するように構成されていたが、第２のフィルタ１０８を通過する前の信号（即ち、ＤＤＣ１０７により出力された信号）に対して干渉波を検出するように構成されていてもよい。この場合、干渉波検出部１１１は、閾値電力よりも大きい電力平均値に対応する周波数と、中間周波数帯域と、の関係に基づいて干渉波を検出するように構成されていてもよい。
【０１２０】
また、各実施形態において、混合器１０３及びＤＤＣ１０７のそれぞれは、周波数が低くなるように信号を変換していたが、混合器１０３及びＤＤＣ１０７の少なくとも一方は、周波数が高くなるように信号を変換してもよい。
【０１２１】
なお、上記各実施形態において、受信装置の各機能は、例えば、ＦＰＧＡ（Ｆｉｅｌｄ  Ｐｒｏｇｒａｍｍａｂｌｅ  Ｇａｔｅ  Ａｒｒａｙ）等のハードウェアにより実現されてよい。受信装置の各機能は、処理装置（例えば、ＣＰＵ（Ｃｅｎｔｒａｌ  Ｐｒｏｃｅｓｓｉｎｇ  Ｕｎｉｔ）、又は、ＤＳＰ（Ｄｉｇｉｔａｌ  Ｓｉｇｎａｌ  Ｐｒｏｃｅｓｓｏｒ））と、記憶装置（例えば、ＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）等）と、を有するハードウェアを用いて実現されてもよい。
【０１２２】
この場合、例えば、図１２に示したように、送受信装置１，１Ａは、処理装置１５２と、記憶装置１５３と、を備える。処理装置１５２、及び、記憶装置１５３は、バスＢＳを介して互いに接続されている。処理装置１５２は、記憶装置１５３と協動することにより、ＤＤＣ１０７、第２のフィルタ１０８、ＤＧＣ１０９、干渉波検出部１１１、及び、周波数制御部１１２又は周波数制御部１１２Ａの各機能を実現するように構成されている。
【０１２３】
また、本発明の趣旨を逸脱しない範囲内において、上記実施形態の他の変形例として、上述した実施形態及び変形例の任意の組み合わせが採用されてもよい。
【０１２４】
＜付記＞
上記実施形態の一部又は全部は、以下の付記のように記載され得るが、以下には限られない。
【０１２５】
（付記１）
所定の無線周波数を中心とした無線周波数帯域の受信信号を、当該無線周波数と異なる局部発振周波数の信号によって中間周波数帯域の中間信号に変換する混合器による変換後の信号のうちの、前記中間周波数帯域内の干渉波を検出する干渉波検出手段と、
前記干渉波が検出された場合、前記中間周波数帯域と、当該干渉波の帯域と、が遠ざかるように、前記局部発振周波数を変更する周波数制御手段と、
を備える制御装置。
【０１２６】
（付記２）
付記１に記載の制御装置であって、
前記周波数制御手段は、前記混合器による変換後の信号を第１のフィルタが減衰させる帯域以外の帯域であり且つ前記中間周波数帯域の幅よりも大きい帯域幅を有する通過帯域内において、前記中間周波数帯域が前記干渉波の帯域から遠ざかるように、前記局部発振周波数を変更する制御装置。
【０１２７】
（付記３）
付記２に記載の制御装置であって、
前記通過帯域の幅は、前記中間周波数帯域の幅の２倍に、前記干渉波の帯域の幅を加えた幅を有する制御装置。
【０１２８】
（付記４）
付記１乃至付記３のいずれか一項に記載の制御装置であって、
前記干渉波検出手段は、前記干渉波の電力である干渉波電力を取得し、
前記周波数制御手段は、前記干渉波が検出された場合、前記取得された干渉波電力を最小とするように前記局部発振周波数を変更する制御装置。
【０１２９】
（付記５）
付記１乃至付記３のいずれか一項に記載の制御装置であって、
前記周波数制御手段は、前記干渉波が検出された場合、前記中間周波数帯域が、前記通過帯域内において当該干渉波の帯域と重複しないように前記局部発振周波数を変更する制御装置。
【０１３０】
（付記６）
付記１乃至付記５のいずれか一項に記載の制御装置であって、
前記第１のフィルタを通過した信号を、周波数が、前記中間周波数帯域の中心の周波数と所定の基底周波数との差だけ変化するように、前記局部発振周波数に基づいて変換する周波数変換手段を備える制御装置。
【０１３１】
（付記７）
付記６に記載の制御装置であって、
前記周波数変換手段による変換後の信号のうちの、前記基底周波数を中心とした基底帯域外の信号を減衰させる第２のフィルタを備える制御装置。
【０１３２】
（付記８）
所定の無線周波数を中心とした無線周波数帯域の受信信号を、当該無線周波数と異なる局部発振周波数の信号によって中間周波数帯域の中間信号に変換する混合器による変換後の信号のうちの、前記中間周波数帯域内の干渉波を検出し、
前記干渉波が検出された場合、前記中間周波数帯域と、当該干渉波の帯域と、が遠ざかるように、前記局部発振周波数を変更する、周波数制御方法。
【０１３３】
（付記９）
付記８に記載の周波数制御方法であって、
前記変換後の信号のうちの、前記中間周波数帯域の幅よりも大きい帯域幅を有する通過帯域外の信号を減衰させ、
前記中間周波数帯域が、前記通過帯域内において前記干渉波の帯域から遠ざかるように、前記局部発振周波数を変更する、周波数制御方法。
【０１３４】
（付記１０）
付記９に記載の周波数制御方法であって、
前記通過帯域の幅は、前記中間周波数帯域の幅の２倍に、前記干渉波の帯域の幅を加えた幅を有する、周波数制御方法。
【０１３５】
（付記１１）
所定の無線周波数と異なる局部発振周波数の信号を生成する発振器と、
前記無線周波数を中心とした無線周波数帯域の受信信号を、前記生成された信号によって中間周波数帯域の中間信号に変換する混合器と、
前記混合器による変換後の信号のうちの、前記中間周波数帯域内の干渉波を検出する干渉波検出手段と、
前記干渉波が検出された場合、前記中間周波数帯域と、当該干渉波の帯域と、が遠ざかるように、前記局部発振周波数を変更する周波数制御手段と、
を備える受信装置。
【０１３６】
（付記１２）
付記１１に記載の受信装置であって、
前記混合器による変換後の信号のうちの、前記中間周波数帯域の幅よりも大きい帯域幅を有する通過帯域外の信号を減衰させる第１のフィルタを備え、
前記周波数制御手段は、前記中間周波数帯域が、前記通過帯域内において前記干渉波の帯域から遠ざかるように、前記局部発振周波数を変更する受信装置。
【０１３７】
（付記１３）
付記１２に記載の受信装置であって、
前記第１のフィルタは、前記通過帯域の幅が、前記中間周波数帯域の幅の２倍に、前記干渉波の帯域の幅を加えた幅を有する受信装置。
【０１３８】
（付記１４）
付記１１乃至付記１３のいずれか一項に記載の受信装置であって、
前記干渉波検出手段は、前記干渉波の電力である干渉波電力を取得し、
前記周波数制御手段は、前記干渉波が検出された場合、前記取得された干渉波電力を最小とするように前記局部発振周波数を変更する受信装置。
【０１３９】
（付記１５）
付記１１乃至付記１３のいずれか一項に記載の受信装置であって、
前記周波数制御手段は、前記干渉波が検出された場合、前記中間周波数帯域が、前記通過帯域内において当該干渉波の帯域と重複しないように前記局部発振周波数を変更する受信装置。
【０１４０】
（付記１６）
付記１１乃至付記１５のいずれか一項に記載の受信装置であって、
前記第１のフィルタを通過した信号を、周波数が、前記中間周波数帯域の中心の周波数と所定の基底周波数との差だけ変化するように、前記局部発振周波数に基づいて変換する周波数変換手段を備える受信装置。
【０１４１】
（付記１７）
付記１６に記載の受信装置であって、
前記周波数変換手段による変換後の信号のうちの、前記基底周波数を中心とした基底帯域外の信号を減衰させる第２のフィルタを備える受信装置。
【符号の説明】
【０１４２】
１，１Ａ  送受信装置
１１    アンテナ
１２    共用器
１３    送信ユニット
１４，１４Ａ  受信ユニット
１０１  第１の増幅器
１０２  局部発振器
１０３  混合器
１０４  第２の増幅器
１０５  第１のフィルタ
１０６  ＡＤＣ
１０７  ＤＤＣ
１０８  第２のフィルタ
１０９  ＤＧＣ
１１０  ＩＦ部
１１１  干渉波検出部
１１２，１１２Ａ  周波数制御部
１５２  処理装置
１５３  記憶装置
２０１  窓関数処理部
２０２  ＦＦＴ処理部
２０３  電力算出部
２０４  平均電力算出部
２０５  閾値電力算出
２０６  干渉波特定部
２      ＢＢ装置
ＢＳ    バス
【図１】
2014183541.tif 000003
【図２】
2014183541.tif 000004
【図３】
2014183541.tif 000005
【図４】
2014183541.tif 000006
【図５】
2014183541.tif 000007
【図６】
2014183541.tif 000008
【図７】
2014183541.tif 000009
【図８】
2014183541.tif 000010
【図９】
2014183541.tif 000011
【図１０】
2014183541.tif 000012
【図１１】
2014183541.tif 000013
【図１２】
2014183541.tif 000014